(57)【要約】【課題】バストアップおよび乳房の寄せ効果を有するブラジャーを提供する。【解決手段】左右一対のカップ１Ｌ，１Ｒと、前記カップ１Ｌ，１Ｒの上部に連結された左右一対の肩ストラップ５Ｌ，５Ｒと、前記カップ１Ｌ，１Ｒの外側部７に連結された左右一対のバックストラップ４Ｌ，４Ｒとを備え、前記一対のカップ１Ｌ，１Ｒの内側部３，３同士が、交差した二本のテープ状の連結部材２Ｌ，２Ｒによって連結され、さらに、前記肩ストラップ５Ｌ，５Ｒが交差され、前記左の肩ストラップ５Ｌは前記右のバックストラップ４Ｒに、前記右の肩ストラップ５Ｒは前記左のバックストラップ４Ｌにそれぞれ連結されている。【選択図】図１
2008050741.tif 000002
【特許請求の範囲】
【請求項１】
左右一対のカップと、前記カップの上部に連結された左右一対の肩ストラップと、前記カップの外側部に連結された左右一対のバックストラップとを備え、
前記一対のカップの内側部同士が、交差した二本のテープ状の連結部材によって連結され、
さらに、前記左右の肩ストラップが交差され、前記左の肩ストラップは前記右のバックストラップに、前記右の肩ストラップは前記左のバックストラップにそれぞれ連結されているブラジャー。
【請求項２】
請求項１において、前記カップの内側にパッドが取り付けられているブラジャー。
【請求項３】
請求項１において、前記交差した二本のテープ状の連結部材は、伸縮性のない材料で形成されているブラジャー。
【請求項４】
請求項１から３のいずれか１項において、前記肩ストラップは、伸縮性のある材料で形成されているブラジャー。
【発明の詳細な説明】
【技術分野】
【０００１】
本発明は、バストアップおよび乳房の寄せ効果を有するブラジャーに関する。
【背景技術】
【０００２】
ブラジャーは、着用感の良さとともに、バストアップ、谷間の強調のように乳房の形を整え、美しいシルエットを形成することが期待されている。
【０００３】
これまでに、乳房の寄せ効果を有するブラジャーとして、左右のカップの下部にそれぞれ左右のバンドを備え、この左右のバンドを左右のカップ間において交差させるものが提案されている（特許文献１）。このブラジャーでは、左右のカップ間において２枚の布（バンド）が重ねられているため、左右のカップが、肩ストラップおよびバックストラップの引っ張り力によって、乳房を中央へ寄せる方向に変位する。
【特許文献１】特開２０００−０３４６０５号公報
【発明の開示】
【発明が解決しようとする課題】
【０００４】
しかしながら、この左右のバンドは交差する部分の幅が広く、左右のカップは重ねられた２枚の布でそれぞれ連結固定されているから、カップの位置が変化する範囲は制限されて、乳房の寄せ効果は比較的小さい。
【０００５】
そこで、本発明は、バストアップおよび乳房の寄せ効果を有するブラジャーを提供することを目的とする。
【課題を解決するための手段】
【０００６】
上記目的を達成するために、本発明に係るブラジャーは、左右一対のカップと、前記カップの上部に連結された左右一対の肩ストラップと、前記カップの外側部に連結された左右一対のバックストラップとを備え、前記一対のカップの内側部同士が、交差した二本のテープ状の連結部材によって連結され、さらに、前記左右の肩ストラップが交差され、前記左の肩ストラップは前記右のバックストラップに、前記右の肩ストラップは前記左のバックストラップにそれぞれ連結されている。ここで、内側部とは、着用者の体の中心側をいう。また、外側部とは、着用者の体の中心から離れた脇部側をいう。さらに、テープ状とは、幅が狭く細長い形状のことをいう。
【０００７】
この構成によれば、左右のカップに、肩ストラップおよびバックストラップによって、引き上げ力が付加される。このとき、カップは、その内側部同士が交差した２本の連結部材により連結されているから、互いに拘束されることなく、前記引き上げ力により内側部を中心に上方向に回動する。このように、左右のカップが上方へ持ち上げられながら内側部を中心に回動することによって、乳房が押さえつけられて変形することなく自然に中央へ寄せられる。また、連結部材は、テープ状で比較的幅が狭いために柔軟に変形するから、回動の自由度も高い。したがって、内側部に圧迫感を与えることなくバストアップおよび谷間を強調することができる。
【０００８】
本発明において、好ましくは、前記カップの内側にパッドが取り付けられている。この構成によれば、バックストラップとともに脇部（外側部）から乳房を持ち上げて中央に寄せる効果が向上する。
【０００９】
本発明において、好ましくは、前記交差した二本のテープ状の連結部材は、伸縮性のない材料で形成されている。この構成によれば、左右のカップに、肩ストラップおよびバックストラップによって、引き上げ力が付加されたとき、２本の連結部材は長さが変わらないため、左右のカップ間の距離および回動範囲が定まり、カップの持ち上げ効果および乳房を中央へ寄せる効果が向上する。
【００１０】
本発明において、好ましくは、前記肩ストラップは、伸縮性のある材料で形成されている。この構成によれば、肩ストラップは伸縮性のある材料で形成されているから、さらにカップの引き上げ効果および身体へのフィット感が向上する。
【発明の効果】
【００１１】
本発明のブラジャーによれば、肩ストラップおよびバックストラップにより引き上げ力が付加された左右のカップが、上方へ持ち上げられながら内側部の付近を中心に回動することによって、乳房が押さえつけられて変形することなく自然に中央へ寄せられる。
【発明を実施するための最良の形態】
【００１２】
以下、本発明の好ましい実施形態について図面を参照しながら詳細に説明する。
図１に示すように、本発明にかかるブラジャー１０は、左右一対のカップ１Ｌ，１Ｒと、カップ１Ｌ，１Ｒの上部に連結された左右一対の肩ストラップ５Ｌ，５Ｒと、カップ１Ｌ，１Ｒの外側部７に連結された左右一対のバックストラップ４Ｌ，４Ｒとを有している。バックストラップ４Ｌ，４Ｒは、着用時に図示しないフックで接続される。また、バックストラップ４Ｌ，４Ｒは、例えば、パワーネット、ストレッチレースと呼ばれる伸縮性のある材料で形成されている。カップ１Ｌ，１Ｒの下縁には、カップ１Ｌ，１Ｒの湾曲形状に沿ってワイヤ１４が取り付けられ、カップ１Ｌ，１Ｒの形状を保持している。
【００１３】
図２のように、一対のカップ１Ｌ，１Ｒの内側部３，３同士が、交差した二本のテープ状の第１および第２連結部材２Ｌ，２Ｒによって連結されている。第１連結部材２Ｌと第２連結部材２Ｒとの交点２Ｃの位置は、左右のカップ１Ｌ、１Ｒのトップ６Ｌ，６Ｒを結んだトップ線６Ａ（図２の一点鎖線）と同じ高さか、あるいは若干下方である。この実施例では、連結部材２Ｌ，２Ｒの全体がトップ線６Ａよりも下方に位置している。これら連結部材２Ｌ，２Ｒは、バックストラップ４Ｌ，４Ｒよりも伸縮性の低い、例えば、マーキゼットのような材料で形成されている。したがって、連結部材２Ｌ，２Ｒの長さにより、カップ１Ｌ，１Ｒ間の距離および回動範囲が定まる。連結部材２Ｌ，２Ｒはそれぞれ独立して左右のカップ１Ｌ，１Ｒを連結しており、連結部材２Ｌ，２Ｒ同士は中央部で交差して重なるが、互いに連結されてはいない。
【００１４】
図３のように、左右の肩ストラップ５Ｌ，５Ｒが背中部分で交差され、左の肩ストラップ５Ｌは右のバックストラップ４Ｒの取付部４ａに、右の肩ストラップ５Ｒは左のバックストラップ４Ｌの取付部４ａにそれぞれ連結されている。肩ストラップ５Ｌ，５Ｒによりカップ１Ｌ，１Ｒは上方に引き上げられる。その際、肩ストラップ５Ｌ，５Ｒが背中部分で交差しているから、交差させない一般的な平行の肩ストラップの場合に比べて、ひねり効果により、カップ１Ｌ，１Ｒの引き上げ力が向上する。肩ストラップ５Ｌ，５Ｒは、ポリウレタンを含んだテープのような伸縮性のある材料で形成されており、したがって、肩ストラップ５Ｌ，５Ｒによるカップ１Ｌ，１Ｒの引き上げ効果および身体へのフィット感が向上する。
【００１５】
図４（ａ）のブラジャー１０の内側部分を示す背面図のように、ブラジャー１０のカップ１Ｌ，１Ｒの下側を覆う脇カップ部１ａの裏側には、ポケット８が形成されており、パッド２１がポケット８に収納される。パッド２１は、図４（ｂ）〜（ｅ）に示すパッド２１ａ〜２１ｄのようなさまざまな形状が考えられ、着用者に合った形状を選択することができる。脇カップ部１ａにパッド２１を取付けることにより、バックストラップ４Ｌ，４Ｒとともに脇部（外側部７）から乳房を持ち上げて中央に寄せる効果が向上する。
【００１６】
次に、このブラジャー１０の作用について説明する。
本実施形態に係るブラジャー１０を着用すると、図３のように、背中部分において、左右のバックストラップ４Ｌ，４Ｒ同士が図示しないフックで接続され、肩ストラップ５Ｌ，５Ｒが左右に交差した状態となる。これにより、図２の矢印Ｏ，Ｑ，Ｒのように、カップ１Ｌ，１Ｒに、肩ストラップ５Ｌ，５Ｒおよびバックストラップ４Ｌ，４Ｒによって、引き上げ力が付加される。このとき、カップ１Ｌ，１Ｒは、その内側部３，３同士が連結部材２Ｌ，２Ｒにより連結されているから、矢印Ｐの方向に回動する。
【００１７】
すなわち、右の肩ストラップ５Ｒは、カップ１ＲをＯ方向に引き上げる。肩ストラップ５Ｒは伸縮性のある材料で形成されているので、カップ１Ｒの引き上げ効果は大きく、また、この肩ストラップ５Ｒは、左の肩ストラップ５Ｌと背中部分で交差しているので、ひねり効果により、カップ１Ｒの引き上げ力、つまりＯ方向の力がさらに大きくなる。右の肩ストラップ５Ｒの他端は、左のバックストラップ４Ｌに連結されている。このバックストラップ４Ｌも伸縮性のある材料で形成されており、カップ１ＬをＱ方向に引っ張る。ここで、右の肩ストラップ５Ｒは、交差して、すなわち斜め方向から左のバックストラップ４Ｌに連結されているので、Ｑ方向に引っ張る力を助長させる。つまり、右の肩ストラップ５Ｒが右のカップ１ＲをＯ方向に引き上げ、左のバックストラップ４Ｌが、右の肩ストラップ５Ｒの張力と合わせて、左のカップ１ＬをＱ方向へ引っ張ることで、第２連結部材２Ｒに対して、Ｒ方向に大きな力が働く。同様に、左の肩ストラップ５Ｌと右のバックストラップ４Ｒにより、第１連結部材２Ｌに対して、Ｒ方向に大きな力が働く。
【００１８】
連結部材２Ｌ，２Ｒは、伸縮性のない材料で形成されているので、Ｒ方向に大きな力が働いても、左右のカップ１Ｌ，１Ｒの距離が変わることはなく、また、連結部材２Ｌ，２Ｒは互いに交差しているから、連結部材２Ｌ，２Ｒに張力が働いた状態で、さらにＯ方向とＱ方向に引っ張り力が加わると、Ｒ方向に強い力が作用する。その結果、左のカップ１Ｌは連結部材２Ｌと右のカップ１Ｒとの連結部を中心に矢印Ｐの方向に回動し、右のカップ１Ｒは連結部材２Ｒと左のカップ１Ｌとの連結部を中心に矢印Ｐの方向に回動する。また、カップ１Ｌ，１Ｒに、肩ストラップ５Ｌ，５Ｒやバックストラップ４Ｌ，４Ｒから力が作用しても、カップ１Ｌ，１Ｒにはワイヤ１４が取り付けられているので、カップ１Ｌ，１Ｒの形状が崩れることはない。
【００１９】
このように、カップ１Ｌ，１Ｒが上方へ持ち上げられながら内側部３の付近を中心に回動することによって、乳房が押さえつけられて変形することなく自然に中央へ寄せられる。連結部材２Ｌ，２Ｒは、テープ状で比較的幅が狭いために柔軟に変形するから、回動の自由度も高い。したがって、内側部３に圧迫感を与えることなくバストアップおよび谷間を強調することができる。また、脇カップ部１ａに取付けられたパッドにより、バストアップおよび乳房の寄せ効果はさらに向上する。
【図面の簡単な説明】
【００２０】
【図１】本発明に係るブラジャーを示す斜視図である。
【図２】同ブラジャーを示す正面図である。
【図３】同ブラジャーを着用した状態を示す後方斜視図である。
【図４】（ａ）は、同ブラジャーの内側を示す背面図、（ｂ）〜（ｅ）は、同ブラジャーに取り付けられるパッドの正面図である。
【符号の説明】
【００２１】
１Ｌ，１Ｒ  カップ
２Ｌ，２Ｒ  連結部材
３  内側部
４Ｌ，４Ｒ  バックストラップ
５Ｌ，５Ｒ  肩ストラップ
２１  パッド
【図１】
2008050741.tif 000003
【図２】
2008050741.tif 000004
【図３】
2008050741.tif 000005
【図４】
2008050741.tif 000006